(57)【要約】      （修正有）【課題】放射線シールド金属を含む絶縁体により、電気部品を筐体壁から離すことにより、放射線をシールドすることが出来る放射線シールド絶縁体を提供する。【解決手段】放射線シールド絶縁体は、電気部品のための搭載面を有する支持部１２２を備え、支持部は、前記電気部品を筐体壁１１０から所定の距離だけ離すようになっている。放射線シールド金属を含む絶縁体１２０は、前記絶縁体を前記筐体壁へ結合するようになっている結合部１２４を備える。大フランジ１２６は、前記支持部と前記結合部との間に配置され、大フランジは、放射線シールド層１１４を前記筐体壁の適所に保持し、放射線シールド機能を提供する。【選択図】図１
2014238389.tif 000002
【特許請求の範囲】
【請求項１】
電気部品のための搭載面を有する支持部であって、前記電気部品を筐体壁から所定の距離だけ離すようになっている、支持部と、
前記絶縁体を前記筐体壁へ結合するようになっている結合部と、
前記支持部と前記結合部との間に配置されたフランジであって、放射線シールド層を前記筐体壁の適所に保持し、放射線シールド機能を提供するようになっている、フランジと、
前記フランジと前記結合部との間に配置されたボスであって、前記フランジに接触して隣接し、前記フランジより小さい、ボスと、を備え、
前記絶縁体は、放射線シールド金属を含む、
放射線シールド絶縁体。
【請求項２】
請求項１の放射線シールド絶縁体において、
前記フランジは、第１の外周によって規定される円形に形成され
前記ボスは、前記第１の外周よりも小さい第２の外周によって規定される円形に形成される、
放射線シールド絶縁体。
【請求項３】
内面を有する少なくとも１つの筐体壁と、
前記筐体壁の前記内面を覆う放射線シールド層と、
前記筐体壁に結合される少なくとも１つの絶縁体であって、搭載面、及び、前記搭載面の反対側に位置し、前記筐体壁の前記内面に前記放射線シールド層を保持するフランジを含むベース、を有する支持部を備え、放射線シールド金属を含む、絶縁体と、
前記絶縁体の前記搭載面に取り付けられ前記絶縁体の前記支持部によって前記筐体壁の前記内面から離された電気部品と、を備える。
電気組立体。
【発明の詳細な説明】
【背景技術】
【０００１】
[0001]絶縁体は、典型的には、１つの組立体を他の部品の上に持ち上げるための、所定の長さのねじ込みセパレータである。電子デバイスでは、絶縁体は、プリント回路基板を筐体面の上に持ち上げるために用いられる場合がある。 
【０００２】
[0002]宇宙空間で用いられる電子機器は、あらゆる方向からの放射線をシールドすることが求められる（４−ｐｉシールディング）。回路基板又は回路カードのような搭載部品を放射線からシールドするためには、放射線シールド材料で製造された、絶縁体及び他の締結部品、のような高価で特別なハードウェアが要求される。
【０００３】
[0003]放射線シールド絶縁体は、電気部品のための搭載面を有する支持部を備え、前記支持部は、前記電気部品を筐体壁から所定の距離だけ離すようになっている。絶縁体は、また、前記絶縁体を前記筐体壁へ結合するようになっている結合部を備える。フランジは、前記支持部と前記結合部との間に配置され、前記フランジは、放射線シールド層を前記筐体壁の適所に保持し、放射線シールド機能を提供するようになっている。ボスは、前記フランジと前記結合部との間に配置され、前記フランジに接触して隣接し、前記フランジより小さい。前記絶縁体は、また、放射線シールド金属を含む。
【図面の簡単な説明】
【０００４】
[0004]図面は単に例示的な実施形態を描いており、発明の範囲を制限するものではないと理解される。例示的な実施形態は、図面を参照することによって、追加の特徴及び詳細とともに記述される。
【０００５】
【図１】[0005]図１は、実施形態の放射線シールド絶縁体を備える電気組立体の部分側面図である。
【図２】[0006]図２Ａ及び図２Ｂは、図１の電気組立体に組み込まれ得る放射線シールド絶縁体の拡大斜視図である。
【発明を実施するための形態】
【０００６】
[0007]以下の詳細な説明は、当業者が本発明を実施可能なように十分に詳細に記述される。他の実施形態は、本発明の範囲から離れることなく実施されることを理解すべきである。以下の詳細な説明は、それゆえ、限定的に解釈されるべきではない。 
【０００７】
[0008]放射線シールド絶縁体は、回路基板又は回路カードなどの電気部品を筐体壁に搭載するために提供される。放射線シールド絶縁体は、放射線シールド要求（４−ｐｉ）を順守するとともに、放射線シールド層を安全に筐体壁に供給する。放射線シールド絶縁体は、宇宙空間のような過酷な放射線環境で使用される電気デバイスのための内部放射線シールドの実行を簡素化する。
【０００８】
[0009]図１は、一実施形態による放射線シールド絶縁体を備える電気組立体１００を示す。電気組立体１００は、タンタルシールドなどの放射線シールド層１１４で被膜された内面１１２を有する筐体壁１１０を備える。少なくとも１つのねじ穴１１６が、内面１１２に沿って筐体壁１１０に配置される。回路基板１１８は、絶縁体１２０によって、筐体壁１１０の内面１１２から離されている。
【０００９】
[0010]絶縁体１２０は、支持部１２２と、結合部１２４と、を備える。支持部１２２は、雌ねじ開口を備えた六角頭を備えることができる。結合部１２４は、雄ねじ突部を備えることができる。大フランジ１２６は、支持部１２２のベースから突出し、小ボス１２８は、大フランジ１２６の下に位置する。フランジ１２６は、４−ｐｉ放射線シールドを順守するよう放射線シールド層１１４を適所に保持する。
【００１０】
[0011]絶縁体１２０は、タングステン、タンタル、銅、などの放射線シールド金属で構成されることができる。
【００１１】
[0012]絶縁体１２０の結合部１２４は、筐体壁１１０のねじ穴１１６に結合部１２４の雄ねじ突部をねじ込むことによって、筐体壁１２０に結合される。ボス１２８は、放射線シールド層１１４と実質的に同じ高さを有する。ボス１２８は、ボス１２８よりわずかに大きい放射線シールド層１１４の穴内に存在する。フランジ１２６は、ボス１２８と放射線シールド層１１４との間のわずかな隙間を覆い、これによって、放射線シールド層１１４の４−ｐｉ放射線シールドを順守する。
【００１２】
[0013]絶縁体１２０の支持部１２２は、筐体壁１１０から適切な距離だけ離して回路基板１１８を支持するための搭載面を提供する。支持部１２２の雌ねじ開口は、回路基板１１８を絶縁体１２０へ取り付けるために、一般的なねじ１３２を受け入れ可能になっている。
【００１３】
[0014]図１の電気組立体１００では単一の絶縁体１２０が描かれているが、必要に応じて筐体に１又は複数の回路基板を支持するために同様の構成の複数の絶縁体が設けられてもよいことが理解されるべきである。
【００１４】
[0015]図２Ａ及び図２Ｂは、一つの実施形態による放射線シールド絶縁体２００を示しており、放射線シールド絶縁体２００は、図１に示したような電気組立体に組み込まれ得る。放射線シールド絶縁体２００は、絶縁体１２０と同様の構成を有し、支持部２１０と、結合部２２０と、を備える。支持部２１０は、搭載面２１３及び雌ねじ開口２１４とともに六角頭２１２を備える。支持部２１０は、電気部品を筐体壁から所定の距離だけ離すようになっている。結合部２２０は、絶縁体２００を筐体壁に結合するよう構成された雄ねじ突部２２２を備える。代替の実施形態では、結合部２２０は、雄ねじ突部の適所に雌ねじ穴を有することができる。
【００１５】
[0016]フランジ２３０は、支持部２１０と結合部２２０との間に配置される。フランジ２３０は、放射線シールド層を筐体壁の適所に保持し、放射線シールド機能を提供する。ボス２３２（図２Ｂ）は、フランジ２３０と結合部２２０との間に配置され、ボス２３２はフランジ２３０に接触して隣接する。フランジ２３０は、第１の外周によって規定される円形に形成され、ボス２３２は、フランジ２３０の第１の外周よりも小さな第２の外周によって規定される円形に形成される。
【００１６】
[0017]絶縁体２００は、タングステン、タンタル、銅、などの放射線シールド金属で構成されることができる。
【００１７】
例示の実施形態
[0018]例１の放射線シールド絶縁体は、電気部品のための搭載面を有する支持部であって、前記電気部品を筐体壁から所定の距離だけ離すようになっている、支持部と、前記絶縁体を前記筐体壁へ結合するようになっている結合部と、前記支持部と前記結合部との間に配置されたフランジであって、放射線シールド層を前記筐体壁の適所に保持し、放射線シールド機能を提供するようになっている、フランジと、前記フランジと前記結合部との間に配置されたボスであって、前記フランジに接触して隣接し、前記フランジより小さい、ボスと、を備え、前記絶縁体は、放射線シールド金属を含む。
【００１８】
[0019]例２の放射線シールド絶縁体は、例１の放射線シールド絶縁体を含み、前記支持部は、雌ねじ開口を有する六角頭を備える。
【００１９】
[0020]例３の放射線シールド絶縁体は、例１又は例２の放射線シールド絶縁体を含み、前記結合部は、雄ねじ突部を備える。
【００２０】
[0021]例４の放射線シールド絶縁体は、例１〜例３のいずれか１つの放射線シールド絶縁体を含み、前記結合部は、雌ねじ開口を備える。
【００２１】
[0022]例５の放射線シールド絶縁体は、例１〜例４のいずれか１つの放射線シールド絶縁体を含み、前記フランジは、第１の外周によって規定される円形に形成される。
【００２２】
[0023]例６の放射線シールド絶縁体は、例５の放射線シールド絶縁体を含み、前記ボスは、前記第１の外周よりも小さい第２の外周によって規定される円形に形成される。
【００２３】
[0024]例７の放射線シールド絶縁体は、例１〜例６のいずれか１つの放射線シールド絶縁体を含み、前記放射線シールド金属は、タングステン、タンタル、又は、銅を含む。
【００２４】
[0025]例８の電気組立体は、内面を有する少なくとも１つの筐体壁と、前記筐体壁の前記内面を覆う放射線シールド層と、前記筐体壁に結合される少なくとも１つの絶縁体であって、搭載面、及び、前記搭載面の反対側に位置し、前記筐体壁の前記内面に前記放射線シールド層を保持するフランジを含むベース、を有する支持部を備え、放射線シールド金属を含む、絶縁体と、前記絶縁体の前記搭載面に取り付けられ前記絶縁体の前記支持部によって前記筐体壁の前記内面から離された電気部品と、を備える。
【００２５】
[0026]例９の電気組立体は、例８の電気組立体を含み、前記絶縁体の前記支持部は、前記電気部品を前記絶縁体に取り付けるねじがねじ込まれる雌ねじ開口を有する六角頭を備える。
【００２６】
[0027]例１０の電気組立体は、例８又は例９の電気組立体を含み、前記筐体壁は、前記内面に沿って少なくとも１つのねじ穴を備える。
【００２７】
[0028]例１１の電気組立体は、例１０の電気組立体を含み、前記絶縁体は、前記筐体壁の前記ねじ穴にねじ込まれるねじ突部を有する結合部をさらに備える。
【００２８】
[0029]例１２の電気組立体は、例８〜例１１のいずれか１つの電気組立体を含み、前記支持部の前記ベースは、前記フランジと前記筐体壁の前記内面との間に配置されたボスをさらに備える。
【００２９】
[0030]例１３の電気組立体は、例１２の電気組立体を含み、前記ボスは、前記放射線シールド層の穴内に配置される。
【００３０】
[0031]例１４の電気組立体は、例１２又は例１３の電気組立体を含み、前記ボスは、前記放射線シールド層と実質的に同じ高さを有する。
【００３１】
[0032]例１５の電気組立体は、例１２〜例１４のいずれか１つの電気組立体を含み、前記フランジは、第１の外周によって規定される円形に形成される。
【００３２】
[0033]例１６の電気組立体は、例１５の電気組立体を含み、前記ボスは、前記第１の外周よりも小さい第２の外周によって規定される円形に形成される。
【００３３】
[0034]例１７の電気組立体は、例８〜例１６のいずれか１つの電気組立体を含み、前記フランジは、前記放射線シールド層の４−ｐｉ放射線シールドを順守する。
【００３４】
[0035]例１８の電気組立体は、例８〜例１７のいずれか１つの電気組立体を含み、前記放射線シールド層は、タンタルを含む。
【００３５】
[0036]例１９の電気組立体は、例８〜例１８のいずれか１つの電気組立体を含み、前記放射線シールド絶縁体は、タングステン、タンタル、又は、銅、を含む。
【００３６】
[0037]例２０の電気組立体は、例８〜例１９のいずれか１つの電気組立体を含み、前記電気部品は、回路カード又は回路基板を備える。
【００３７】
[0038]本発明は、本質的な特徴から離れることなく他の形態で実施することができる。記載された実施形態は、説明のために記載されたものであり本発明を制限するものではないと理解される。したがって、本発明は、クレーム及びクレームの均等の範囲でのみ制限されることが意図される。
【図１】
2014238389.tif 000003
【図２】
2014238389.tif 000004
【外国語明細書】
2014238389000001.pdf